(57)【要約】【課題】本発明は、従来のサンシェードは、固定ブロックが単一の平面のみで車窓枠に粘着しているため、サンシェードを車窓枠に安定的に結合できないという問題を解決することにある。【解決手段】本発明は、ベース及び粘着部材を包括する固定構成及びこれを応用する乗用車用サンシェードを提供している。前記ベースは、本体部と、前記本体部の一側に接続する挟持部と、前記本体部に接続して前記挟持部から離れる方向に延伸する延伸部とを包括しており、前記本体部は前記延伸部に対向する第一接続面を有し、且つ前記延伸部は前記本体部に対向する第二接続面を有している。前記粘着部材は、前記第一接続面及び前記第二接続面に貼着し、前記第一接続面に対応して設置する第一粘着面と、前記第二接続面に対応して設置する第二粘着面とを包括している。本発明は、乗用車用サンシェードを乗用車の車窓枠上に固定することができ、二つの粘着面を利用して乗用車用サンシェードが車窓枠上に粘着する安定性を強化している。【選択図】図３
2016074343.tif 000002
【特許請求の範囲】
【請求項１】
本体部と、前記本体部の一側に接続する挟持部と、前記本体部に接続して前記挟持部から離れる方向に延伸する延伸部とを包括し、前記本体部は前記延伸部に対向する第一接続面を有し、且つ前記延伸部は前記本体部に対向する第二接続面を有するベースと、
前記第一接続面及び前記第二接続面に貼着し、前記第一接続面に対応して設置する第一粘着面と、前記第二接続面に対応して設置する第二粘着面とを包括する粘着部材とを包括することを特徴とする固定構成。
【請求項２】
前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分とを有することを特徴とする請求項１に記載の固定構成。
【請求項３】
前記第二接続面は、前記本体部から離れる方向に向かって延伸して幅が徐々に狭くなる台形形状を呈しており、前記延伸部は、前記本体部から離れた一端に設置する二つのガイド角を有することを特徴とする請求項１に記載の固定構成。
【請求項４】
前記粘着部材は、前記第一接続面に貼着し且つ前記第二接続面の一側に対向して前記第一粘着面を形成する第一ゲル体と、前記第二接続面に貼着し且つ前記第一接続面の一側に対向して前記第二粘着面を形成する第二ゲル体とを有することを特徴とする請求項１に記載の固定構成。
【請求項５】
前記粘着部材は、前記第一粘着面及び前記第二粘着面を被覆するリリース層を包括することを特徴とする請求項１に記載の固定構成。
【請求項６】
少なくとも一つの光透過面と、各前記光透過面の周囲に繞設する複数の車窓枠とを包括し、且つ各前記車窓枠は非平行な二つの窓枠面を有する乗用車上に設置して車外からの光線を遮蔽するために用いる乗用車用サンシェードであって、
前記光透過面に対応して設置し、前記光透過面を被覆して前記乗用車に差し込む光線を制限するために用いる遮光生地と、前記遮光生地の周囲に繞設する支持フレームとを包括するスクリーンと、
本体部と、前記本体部の一側に接続して前記支持フレームと嵌合する挟持部と、前記本体部に接続して前記挟持部から離れる方向に延伸する延伸部とを包括し、前記本体部は前記延伸部に対向する第一接続面を有し、且つ前記延伸部は前記本体部に対向する第二接続面を有するベースと、
前記第一接続面及び前記第二接続面に貼着し、前記第一接続面に対応して設置する第一粘着面と、前記第二接続面に対応して設置する第二粘着面とを包括し、そのうち、前記第一粘着面及び前記第二粘着面はこれ等車窓枠のうちの一つにあるこれ等二つの窓枠面に粘着する粘着部材とを包括することを特徴とする乗用車用サンシェード。
【請求項７】
前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分と、これら二つのホック部分の間に位置して前記支持フレームに嵌入するために用いる開口とを有することを特徴とする請求項６に記載の乗用車用サンシェード。
【請求項８】
前記粘着部材は、前記第一接続面に貼着し且つ前記第二接続面の一側に対向して前記第一粘着面を形成する第一ゲル体と、前記第二接続面に貼着し且つ前記第一接続面の一側に対向して前記第二粘着面を形成する第二ゲル体とを有することを特徴とする請求項６に記載の乗用車用サンシェード。
【請求項９】
これ等車窓枠のうちの一つは、前記車窓枠と前記光透過面との間に形成する間隙を有し、前記ベースの前記延伸部は前記間隙内に挿設することを特徴とする請求項６に記載の乗用車用サンシェード。
【請求項１０】
前記乗用車用サンシェードは、前記ベースに対応してこれ等車窓枠のうちの一つに設ける少なくとも一つの固定ブロックをさらに包括し、各前記固定ブロックは、前記スクリーンを嵌合するために用いる収容エリアと、前記収容エリアから離れた一側に設置して前記車窓枠上に粘着するために用いる両面テープをそれぞれ包括することを特徴とする請求項６に記載の乗用車用サンシェード。
【発明の詳細な説明】
【技術分野】
【０００１】
本発明は、特にサンシェードと車窓枠との間の結合の安定性を向上する固定構成及びこれを応用する乗用車用サンシェードに関するものである。
【背景技術】
【０００２】
車両が走行する際、日差しは車窓を通して車内に照射し、強い日差しの場合、日差しが眩しくて走行の際の視線に影響を及ぼす以外に、運転者或いは乗客が日差しに晒されることによって灼熱感を覚える恐れがある。このことから、当該分野では様々な日除け製品が開発され、例えば、車窓に貼り付けることが可能な静電気サンシェード（ｅｌｅｃｔｒｏｓｔａｔｉｃ  ｓｕｎ  ｓｈａｄｅ）や車窓上に吸着する吸盤型サンシェード等がある。しかし、上述の日除け製品はいずれも車窓上に直接張り付けるものであって、車窓を開けたい場合、先にこれら日除け製品を取り外さなければならず、使用するにあたりとても不便である。
【０００３】
上述の問題を解決するため、特許文献１にある乗用車用サンシェード固定ブロックは、図１にあるように、固定ブロック２００は両面テープ２１０と、前記両面テープ２１０から離れ、前記固定ブロック２００の中間に外側が狭く内側が広い収容エリア２２０とを包括しており、前記固定ブロック２００は、前記両面テープ２１０を介して車窓枠３２０の平面上に固着し、可撓体であるスクリーンを被覆するサンシェード４００を前記固定ブロック２００上にある前記収容エリア２２０内にフレキシブルに挿設するようにポジショニングしており、これによって、前記サンシェード４００は、車窓上に直接貼り付けるのではなく、車窓の周囲にある窓枠と連結するため、ユーザ先に日除け製品を取り外さなくとも車窓を直接開けることができ、使用上の利便性を向上している。
【０００４】
しかし、前記固定ブロック２００は、平面上に前記両面テープ２１０を介して貼り付いているため、車窓枠の平面面積が少ないと、図２のように、前記両面テープ２１０が前記車窓枠３２０に完全に貼り付くことができないという状況が発生し易く、また、前記両面テープ２１０の前記車窓枠３２０に貼り付く面積を小さくしたとしても、前記固定ブロック２００の付着力が低下してしまい、もし、ユーザが前記サンシェード４００を取り外す際間違った方向に力が加わると、前記固定ブロック２００を前記車窓枠３２０から脱落させる恐れがある。このことから、周知技術には改良する余地があると鑑みた。
【先行技術文献】
【特許文献】
【０００５】
【特許文献１】台湾実用新案公告第Ｍ２８７７５２号
【発明の概要】
【発明が解決しようとする課題】
【０００６】
本発明の目的は、上述の周知技術における従来のサンシェードは、固定ブロックが単一の平面のみで車窓枠に粘着しているため、サンシェードを車窓枠に安定的に結合できないという問題を解決することにある。
【課題を解決するための手段】
【０００７】
上述の問題を解決するため、本発明は、ベース及び粘着部材を包括する固定構成を提供している。前記ベースは、本体部と、前記本体部の一側に接続する挟持部と、前記本体部に接続して前記挟持部から離れる方向に延伸する延伸部とを包括しており、前記本体部は前記延伸部に対向する第一接続面を有し、且つ前記延伸部は前記本体部に対向する第二接続面を有している。前記粘着部材は、前記第一接続面及び前記第二接続面に貼着し、前記第一接続面に対応して設置する第一粘着面と、前記第二接続面に対応して設置する第二粘着面とを包括している。
【０００８】
さらに、前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分とを有している。
【０００９】
さらに、前記第二接続面は、前記本体部から離れる方向に向かって延伸して幅が徐々に狭くなる台形形状を呈しており、前記延伸部は、前記本体部から離れた一端に設置する二つのガイド角を有している。
【００１０】
さらに、前記粘着部材は、前記第一接続面に貼着し且つ前記第二接続面の一側に対向して前記第一粘着面を形成する第一ゲル体と、前記第二接続面に貼着し且つ前記第一接続面の一側に対向して前記第二粘着面を形成する第二ゲル体とを有している。
【００１１】
さらに、前記粘着部材は、前記第一粘着面及び前記第二粘着面を被覆するリリース層を包括している。
【００１２】
本発明のもう一つの目的は、少なくとも一つの光透過面と、各前記光透過面の周囲に繞設する複数の車窓枠とを包括し、且つ各前記車窓枠は非平行な二つの窓枠面を有する乗用車上に設置して車外からの光線を遮蔽するために用いる乗用車用サンシェードを提供することにあり、前記乗用車用サンシェードは、スクリーンと、ベースと、粘着部材とを包括している。前記スクリーンは、前記光透過面に対応して設置し、前記光透過面を被覆して前記乗用車に差し込む光線を制限するために用いる遮光生地と、前記遮光生地の周囲に繞設する支持フレームとを包括している。前記ベースは、本体部と、前記本体部の一側に接続して前記支持フレームと嵌合する挟持部と、前記本体部に接続して前記挟持部から離れる方向に延伸する延伸部とを包括しており、前記本体部は前記延伸部に対向する第一接続面を有し、且つ前記延伸部は前記本体部に対向する第二接続面を有している。前記粘着部材は、前記第一接続面及び前記第二接続面に貼着し、前記第一接続面に対応して設置する第一粘着面と、前記第二接続面に対応して設置する第二粘着面とを包括しており、そのうち、前記第一粘着面及び前記第二粘着面はこれ等車窓枠のうちの一つにあるこれ等二つの窓枠面に粘着している。
【００１３】
さらに、前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分と、これら二つのホック部分の間に位置して前記支持フレームに嵌入するために用いる開口とを有している。
【００１４】
さらに、これ等車窓枠のうちの一つは、前記車窓枠と前記光透過面との間に形成する間隙を有し、前記ベースの前記延伸部は前記間隙内に挿設している。
【００１５】
さらに、前記乗用車用サンシェードは、前記ベースに対応してこれ等車窓枠のうちの一つに設ける少なくとも一つの固定ブロックをさらに包括しており、各前記固定ブロックは、前記スクリーンを嵌合するために用いる収容エリアと、前記収容エリアから離れた一側に設置して前記車窓枠上に粘着するために用いる両面テープをそれぞれ包括している。
【発明の効果】
【００１６】
このことから、本発明は、周知技術と比べ、以下のような利点を有している。
第一に、本発明に係る固定構成は、二つの粘着面を有することで乗用車の窓枠にある非平行な二つの窓枠面に粘着したり、ベース上の延伸部を介して光透過面と車窓枠との間にある間隙に挿設したりするため、乗用車用サンシェードの車窓枠上に固定する結合安定性は向上し、また、本発明に係る固定構成は、乗用車用サンシェードを車体の前窓、側窓或いは後窓に設置することができる。
第二に、本発明は、周知の固定ブロックと結合してより好ましい結合効果を達することができ、ユーザは本発明に係る固定構成を車窓枠上の折れ曲り箇所に粘着し、周知の固定ブロックを車窓枠の平坦な表面に粘着し、さらに本発明に係るスクリーンを本発明に係る固定構成と周知の固定ブロックとの間に固定することができ、様々な異なる様式の車窓に対応することができるため、汎用性を有している。
【図面の簡単な説明】
【００１７】
【図１】周知技術に係るサンシェードの固定構成を示す分解図である。
【図２】周知技術に係るサンシェードの固定構成が車窓枠に接続する際の外観を示す模式図である。
【図３】本発明に係る固定構成を示す分解図である。
【図４Ａ】本発明に係る固定構成を示す斜視図である。
【図４Ｂ】図４Ａの４Ｂ−４Ｂ線断面図である。
【図４Ｃ】図４Ａの４Ｃ−４Ｃ線断面図である。
【図５Ａ】本発明に係る乗用車用サンシェードの第一実施態様を示す分解図である。
【図５Ｂ】本発明に係る乗用車用サンシェードの第一実施態様を示す斜視図である。
【図５Ｃ】図５Ｂの５Ｃ−５Ｃ線断面図である。
【図６】本発明に係る乗用車用サンシェードの第二実施態様を示す斜視図である。
【図７Ａ】本発明に係る乗用車用サンシェードの第三実施態様を示す斜視図である。
【図７Ｂ】図７Ａの７Ｂ−７Ｂ線断面図である。
【発明を実施するための形態】
【００１８】
本発明の技術的特徴及びいくつかの好ましい実施態様を挙げ、図面を参照しつつ、以下において説明する。しかし、これ等実施態様はあくまでも本発明の技術内容を説明するものである。また、本発明の図面は、説明し易いよう、実際の大きさに合わして作図したものではなく、図面中の大きさは本発明が請求する範囲を制限するものでもない。
【００１９】
本発明の技術内容について、本発明に係る固定構成を示す斜視図である図３及び図４Ａを参照すると、本発明は、主に乗用車用サンシェードを乗用車の車窓枠上に固定するために用いる固定構成１を提供しており、前記固定構成１は、ベース１０及び粘着部材２０を包括している。
【００２０】
さらに詳しくいうと、前記ベース１０は、本体部１１と、前記本体部１１の一側に接続する挟持部１２と、前記本体部１１に接続して前記挟持部１２から離れる方向に延伸する延伸部１３とを包括しており、前記本体部１１は前記延伸部１３に対向する第一接続面１１１を有し、且つ前記延伸部１３は前記本体部１１に対向する第二接続面１３１を有している。本発明に係る固定構成を示す断面図である図４Ｂ及び図４Ｃを併せて参照すると、図示されているとおり、前記挟持部１２は、前記延伸部１３から離れた前記本体部１１の一側に間隔を置いて設置する二つの延伸部分１２１と、各前記延伸部分１２１から離れた前記本体部１１の一端にそれぞれ設置してもう一つの前記延伸部分１２１に向かって延伸する二つのホック部分１２２とを有することで、乗用車用サンシェードをこれ等延伸部分１２１の間に嵌入し、これらホック部分１２２の係着によって脱落し難くしている。また、前記第二接続面１３１は、前記本体部１１から離れる方向に向かって延伸して幅が徐々に狭くなる台形形状を呈しており、前記延伸部１３は、前記本体部１１から離れた一端に設置する二つのガイド角Ｒを有することで、前記延伸部１３が前記乗用車の車窓枠に接続する際、車窓枠の表面を損傷しないようにしている。
【００２１】
前記粘着部材２０は、前記ベース１０上に組合され、前記第一接続面１１１及び前記第二接続面１３１に貼着し、前記第一接続面１１１に対応して設置する第一粘着面２１と、前記第二接続面１３１に対応して設置する第二粘着面２２とを包括している。図４Ｃを参照すると、本発明に係る前記粘着部材２０は、強力接着剤或いは両面テープ等の粘着性を有する物質とすることができ、好ましい実施態様において、前記粘着部材２０は折曲した両面テープであり、且つ前記粘着部材２０は二部分に分けることができ、一部分は前記第一接続面１１１に貼着し且つ前記第二接続面１３１の一側に対向して前記第一粘着面２１を形成する第一ゲル体２１１、もう一部分は前記第二接続面１３１に貼着し且つ前記第一接続面１１１の一側に対向して前記第二粘着面２２を形成する第二ゲル体２２１であって、前記第一粘着面２１及び前記第二粘着面２２は、互いに直交或いは斜交し合う平面である。このことから、前記第一ゲル体２１１及び前記第二ゲル体２２１は一体的に形成しているため、ユーザが前記粘着部材２０を乗用車の車体上から取外す際、前記粘着部材２０をそのまま取外すことができ、前記粘着部材２０を取り外すことにより乗用車車体上に跡が残るという問題を低減している。また、もう一つの実施態様において、前記粘着部材２０は、前記第一接続面及１１１び前記第二接続面１３１にそれぞれ粘着する二つのゲル体とすることもできる。また、前記粘着部材２０は、前記第一粘着面２１及び前記第二粘着面２２に貼着するリリース層２３を包括することで、前記固定構成１が使用されていない際、前記第一ゲル体２１１及び前記第二ゲル体２２１を塵埃或いはその他の物体に粘着することから保護している。
【００２２】
次に、本発明に係る乗用車用サンシェードの第一実施態様を示す分解図、斜視図及び断面図である図５Ａ乃至図５Ｃを参照すると、図示されているとおり、本発明は、少なくとも一つの光透過面３１０ａと、各前記光透過面３１０ａの周囲に繞設する複数の車窓枠３２０ａとを包括し、且つ各前記車窓枠３２０ａは非平行な二つの窓枠面３２２ａを有する乗用車上に設置して車外からの光線を遮蔽するために用いる乗用車用サンシェード３００ａを提供することにあり、本実施態様において、前記光透過面３１０ａとは、乗用車の外部の日差しが乗用車の前窓、後窓或いは側窓等の窓ガラスから車内に差し込む平面を指し、これら非平行な窓枠面３２２ａは、前記車窓枠３２０ａにある折曲部３２１ａ両端の平面であって、これ等車窓枠３２０ａは前記車窓枠３２０ａと前記乗用車用サンシェード３００ａとを結合して固定するために用いることができる。前記乗用車用サンシェード３００ａは、スクリーン３０ａと、ベース１０と、粘着部材２０とを包括している。
【００２３】
前記スクリーン３０ａは、窓の外の光線を遮蔽するため、前記光透過面３１０ａに対応して設置し、前記光透過面３１０ａを被覆して前記乗用車に差し込む光線を制限するために用いる遮光生地３２ａと、前記遮光生地３２ａの周囲に繞設する支持フレーム３１ａとを包括している。前記支持フレーム３１ａは、収納或いは設置を行い易くするため、フレキシブルな材質からなり、前記遮光生地３２ａは、網状構成の織布製品であって、前記スクリーン３０ａは前記光透過面３１０ａを完全に或いは部分的に遮蔽することができ、その遮蔽面積は、必要に応じて調整できるため、ここでは面積を限定しない。
【００２４】
前記ベース１０は、本体部１１と、前記本体部１１の一側に接続して前記支持フレーム３１ａと嵌合する挟持部１２と、前記本体部１１に接続して前記挟持部１２から離れる方向に延伸する延伸部１３とを包括しており、前記本体部１１は前記延伸部１３に対向する第一接続面１１１を有し、且つ前記延伸部１３は前記本体部１１に対向する第二接続面１３１を有している。本実施形態において、前記挟持部１２は、前記延伸部１３から離れた前記本体部１１の一側に間隔を置いて設置する二つの延伸部分１２１と、各前記延伸部分１２１から離れた前記本体部１１の一端にそれぞれ設置してもう一つの前記延伸部分１２１に向かって延伸する二つのホック部分１２２と、これら二つのホック部分１２２の間に位置して前記支持フレーム３１ａに嵌入するために用いる開口２４とを有しており、これ等ホック部分１２２の間の間隔は、前記スクリーン３０ａの厚さ、即ち前記支持フレーム３１ａと前記遮光生地３２ａとを組み合わせた全体の厚さよりやや狭く、ユーザはやや力を加えるだけで前記スクリーン３０ａの部分をこれ等延伸部分１２１の間に嵌入することができる。
【００２５】
前記粘着部材２０は、前記第一接続面１１１及び前記第二接続面１３１に貼着し、前記第一接続面１１１に対応して設置する第一粘着面２１と、前記第二接続面１３１に対応して設置する第二粘着面２２とを包括しており、前記第一粘着面２１及び前記第二粘着面２２はこれ等車窓枠３２０ａのうちの一つにある折曲部３２１ａ両端のこれ等窓枠面３２２ａに粘着している。このことから、前記固定構成１は前記粘着部材２０の前記第一粘着面２１及び前記第二粘着面２２を介してそれぞれ異なる角度で前記車窓枠３２０ａ上に貼着することで、前記固定構成１と前記車窓枠３２０ａとの間の結合安定性を増加することができる。
【００２６】
次に、本発明に係る乗用車用サンシェードの第二実施態様を示す斜視図である図６を参照すると、一部の車種車窓枠３２０ｂは、その上端及び下端の平坦面の面積が同じであるとは限らないため、本発明のベース１０をこれ等車窓枠３２０ｂの上端及び下端にある折れ曲り箇所に設置すると、乗用車用サンシェード３００ｂはこれ等車窓枠３２０ｂに歪曲して接続する状態を呈するため、あまり好ましくない。前記乗用車用サンシェード３００ｂの組合せの安定性を向上させるため、前記乗用車用サンシェード３００ｂは、前記ベース１０に対応してこれ等車窓枠３２０ｂのうちの一つに設ける少なくとも一つの固定ブロック２００をさらに包括しており、図１を併せて参照すると、各前記固定ブロック２００は、スクリーン３０ｂを嵌合するために用いる収容エリア２２０と、前記収容エリア２２０から離れた一側に設置して前記車窓枠３２０ｂ上に粘着するために用いる両面テープ２１０をそれぞれ包括している。このことから、本実施態様において、上述した前記固定構成１は乗用車の前記車窓枠３２０ｂにある平坦面の面積が小さい上端の折れ曲り箇所に接続し、従来の固定ブロック２００を介して前記車窓枠３２０ｂにある平坦面の面積が大きい下端に接続することで、前記スクリーン３０ｂを前記固定構成１及び前記固定ブロック２００に上下それぞれ挟持しており、上述の構成に基づき、前記スクリーン３０ｂを前記車窓枠３２０ｂ上に安定して結合することによって、光透過面３１０ｂから差し込む日差しを遮蔽している。
【００２７】
本発明に係る乗用車用サンシェードの第三実施態様を示す斜視図及び断面である図７Ａ及び図７Ｂを参照すると、図示されているとおり、本実施態様に係る乗用車用サンシェード３００ｃは、乗用車の前窓、後窓或いは側窓に用いることができ、乗用車の後窓に用いることを例とした場合、これ等固定構成１は車窓枠３２０ｃの上端及び下端部分にそれぞれ設置し、且つこれ等固定構成１の間にはスクリーン３０ｃが接続され、これ等車窓枠３２０ｃのうちの一つは、前記車窓枠３２０ｃと光透過面３１０ｃとの間に形成する間隙Ｇを有し、前記ベース１０の前記延伸部１３は前記間隙Ｇ内に挿設し、前記固定構成１上にある前記第一粘着面２１及び前記第二粘着面２２を介して前記車窓枠３２０ｃ上に貼着することで、本発明に係る乗用車用サンシェード３００ｃが前記車窓枠３２０ｃに安定して固定することができる効果を達している。
【００２８】
以上のことから、本発明は、固定構成にあるベースの本体部及び延伸部によって第一接続面及び第二接続面を構成し、粘着部材を第一接続面及び第二接続面に貼着することで第一粘着面及び第二粘着面を形成し、各粘着面を車窓枠の折曲部両端にある窓枠面上にそれぞれ粘着することによって、乗用車用サンシェードの組合せの安定性を向上し、また本発明に係る固定構成は、従来のサンシェードの固定ブロックと併せて使用することもできる上、乗用車の前窓、後窓或いは側窓の設置に適用することができる。
【符号の説明】
【００２９】
１        固定構成
１０      ベース
１１      本体部
１１１    第一接続面
１２      挟持部
１２１    延伸部分
１２２    ホック部分
１３      延伸部
１３１    第二接続面
２０      粘着部材
２１      第一粘着面
２１１    第一ゲル体
２２      第二粘着面
２２１    第二ゲル体
２３      リリース層
２４      開口
３０ａ    スクリーン
３０ｂ    スクリーン
３０ｃ    スクリーン
３１ａ    支持フレーム
３２ａ    遮光生地
２００    固定ブロック
２１０    両面テープ
２２０    収容エリア
３００ａ  乗用車用サンシェード
３００ｂ  乗用車用サンシェード
３００ｃ  乗用車用サンシェード
３１０ａ  光透過面
３１０ｂ  光透過面
３１０ｃ  光透過面
３２０ａ  車窓枠
３２０ｂ  車窓枠
３２０ｃ  車窓枠
３２１ａ  折曲部
３２２ａ  窓枠面
４００    サンシェード
Ｒ        ガイド角
Ｇ        間隙
【図１】
2016074343.tif 000003
【図２】
2016074343.tif 000004
【図３】
2016074343.tif 000005
【図４Ａ】
2016074343.tif 000006
【図４Ｂ】
2016074343.tif 000007
【図４Ｃ】
2016074343.tif 000008
【図５Ａ】
2016074343.tif 000009
【図５Ｂ】
2016074343.tif 000010
【図５Ｃ】
2016074343.tif 000011
【図６】
2016074343.tif 000012
【図７Ａ】
2016074343.tif 000013
【図７Ｂ】
2016074343.tif 000014
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
本体部と、前記本体部の一側に接続する挟持部と、前記本体部より前記挟持部から離れる方向に延伸する延伸部とを包括し、前記本体部は前記延伸部に対向する第一接続面を有し、且つ前記延伸部は前記本体部に対向する第二接続面を有するベースと、
前記第一接続面及び前記第二接続面に貼着し、前記第一接続面に対応して設置する第一粘着面と、前記第二接続面に対応して設置する第二粘着面とを包括する粘着部材とを包括することを特徴とする固定構成。
【請求項２】
前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分とを有することを特徴とする請求項１に記載の固定構成。
【請求項３】
前記第二接続面は、前記本体部から離れる方向に向かって延伸して幅が徐々に狭くなる台形形状を呈しており、前記延伸部は、前記本体部から離れた一端に設置する二つのガイド角を有することを特徴とする請求項１に記載の固定構成。
【請求項４】
前記粘着部材は、前記第一接続面に貼着し且つ前記第二接続面の一側に対向して前記第一粘着面を形成する第一ゲル体と、前記第二接続面に貼着し且つ前記第一接続面の一側に対向して前記第二粘着面を形成する第二ゲル体とを有することを特徴とする請求項１に記載の固定構成。
【請求項５】
前記粘着部材は、前記第一粘着面及び前記第二粘着面を被覆するリリース層を包括することを特徴とする請求項１に記載の固定構成。
【請求項６】
少なくとも一つの光透過面と、各前記光透過面の周囲に繞設する複数の車窓枠とを包括し、且つ各前記車窓枠は非平行な二つの窓枠面を有する乗用車上に設置して車外からの光線を遮蔽するために用いる乗用車用サンシェードであって、
前記光透過面に対応して設置し、前記光透過面を被覆して前記乗用車に差し込む光線を制限するために用いる遮光生地と、前記遮光生地の周囲に繞設する支持フレームとを包括するスクリーンと、
本体部と、前記本体部の一側に接続して前記支持フレームと嵌合する挟持部と、前記本体部より前記挟持部から離れる方向に延伸する延伸部とを包括し、前記本体部は前記延伸部に対向する第一接続面を有し、且つ前記延伸部は前記本体部に対向する第二接続面を有するベースと、
前記第一接続面及び前記第二接続面に貼着し、前記第一接続面に対応して設置する第一粘着面と、前記第二接続面に対応して設置する第二粘着面とを包括し、そのうち、前記第一粘着面及び前記第二粘着面はこれ等車窓枠のうちの一つにあるこれ等二つの窓枠面に粘着する粘着部材とを包括することを特徴とする乗用車用サンシェード。
【請求項７】
前記挟持部は、前記延伸部から離れた前記本体部の一側に間隔を置いて設置する二つの延伸部分と、各前記延伸部分から離れた前記本体部の一端にそれぞれ設置してもう一つの前記延伸部分に向かって延伸する二つのホック部分と、これら二つのホック部分の間に位置して前記支持フレームに嵌入するために用いる開口とを有することを特徴とする請求項６に記載の乗用車用サンシェード。
【請求項８】
前記粘着部材は、前記第一接続面に貼着し且つ前記第二接続面の一側に対向して前記第一粘着面を形成する第一ゲル体と、前記第二接続面に貼着し且つ前記第一接続面の一側に対向して前記第二粘着面を形成する第二ゲル体とを有することを特徴とする請求項６に記載の乗用車用サンシェード。
【請求項９】
これ等車窓枠のうちの一つは、前記車窓枠と前記光透過面との間に形成する間隙を有し、前記ベースの前記延伸部は前記間隙内に挿設することを特徴とする請求項６に記載の乗用車用サンシェード。
【請求項１０】
前記乗用車用サンシェードは、前記ベースに対応してこれ等車窓枠のうちの一つに設ける少なくとも一つの固定ブロックをさらに包括し、各前記固定ブロックは、前記スクリーンを嵌合するために用いる収容エリアと、前記収容エリアから離れた一側に設置して前記車窓枠上に粘着するために用いる両面テープをそれぞれ包括することを特徴とする請求項６に記載の乗用車用サンシェード。